(57)【要約】【課題】一階部分に一階分の上下寸法を有する一枚の外壁パネルを取付ける場合はもとより、建物の一階部分や複数の階に亘って上下複数の外壁パネルを取付ける場合でも、一回で所定位置へ移動でき且つ移動時に外壁パネルの振れを防止できる外壁パネルの取付方法及び外壁パネルの移動方法を提供する。【解決手段】建物の所定階数分の長さを有し且つ長手方向に間隔をあけて配置した複数のガイドローラ９を有する方立７を躯体３に取付け、略一階分以上の長さのガイドレール１３に一枚又は上下複数枚の外壁パネル１からなる外壁パネルユニット６を取付け、ガイドレール１３をガイドローラ９に係合して外壁パネルユニット６を上下方向の所定位置まで移動した後、外壁パネルユニット６からガイドレール１３を取外し、外壁パネルユニット６を方立７に固定する。【選択図】図１
2010236293.tif 000002
【特許請求の範囲】
【請求項１】
建物の所定階数分の長さを有し且つ長手方向に間隔をあけて配置した複数のガイドローラを有する方立を躯体に取付け、略一階分以上の長さのガイドレールに外壁パネルユニットを取付け、ガイドレールをガイドローラに係合して外壁パネルユニットを上下方向の所定位置まで移動した後、外壁パネルユニットからガイドレールを取外し、外壁パネルユニットを方立に固定することを特徴とする外壁パネルの取付方法。
【請求項２】
建物の所定階数分の長さを有する方立を躯体に取付け、方立に長手方向に間隔をあけて複数のガイドローラを取付け、略一階分以上の長さのガイドレールに外壁パネルユニットを取付け、ガイドレールをガイドローラに係合して外壁パネルユニットを上下方向の所定位置まで移動した後、外壁パネルユニットからガイドレールを取外し、外壁パネルユニットを方立に固定することを特徴とする外壁パネルの取付方法。
【請求項３】
ガイドレールは屋内側に向けて開口してガイドローラに係合する係合溝を有し且つ屋内側から外壁パネルユニットに着脱自在に取付けてあり、ガイドローラは屋外側から方立に着脱自在に取付けてあることを特徴とする請求項１又は２に記載の外壁パネルの取付方法。
【請求項４】
建物の所定階数分の長さを有し且つ長手方向に間隔をあけて配置した複数のガイドローラを有する方立を躯体に取付け、略一階分以上の長さのガイドレールに外壁パネルユニットを取付け、ガイドレールをガイドローラに係合して外壁パネルユニットを上下方向の所定位置まで移動することを特徴とする外壁パネルの移動方法。
【発明の詳細な説明】
【技術分野】
【０００１】
本発明は、建物の各階に外壁パネルを取付ける外壁パネルの取付方法及び外壁パネルの移動方法に関する。
【背景技術】
【０００２】
カーテンウォール等の外壁パネルをクレーン等で吊るして建物の各階に移動する際に、外壁パネルが風等により振れるのを防止する為、外壁パネルの取付方法が種々提案されている。
例えば、特許文献１には、躯体の竪骨に上下方向に間隔をあけてガイド部材を取付け、各外壁パネルの左右両側にガイド部材に係合する係合溝を設けて、外壁パネルの係合溝をガイド部材に係合して案内しながら外壁パネルを所定位置まで下降して、外壁パネルを躯体に固定することが開示されている。
特許文献２には、外壁パネルの吊り治具に設けた係合部を躯体の竪骨に設けたガイドレールに係合させて外壁パネルを所定位置まで下降すると共に、吊り治具に外壁パネルを複数枚吊り下げることが開示されている。
【先行技術文献】
【特許文献】
【０００３】
【特許文献１】特開平５−１００３７号公報
【特許文献２】特開平１０−１４０７１８号公報
【発明の概要】
【発明が解決しようとする課題】
【０００４】
しかし、特許文献１の技術では、外壁パネルは一枚ずつ係合部材に係合して下降させているので、所定の階（以下、本明細書では「一階」という）に上下複数枚の外壁パネルを取付ける場合には、外壁パネルを一枚ずつ順次降下させて取付ける必要があり、施工に手間がかかるという問題がある。
これに対して、特許文献２の技術では、上下複数のパネルを吊り治具の下に吊り下げているが、吊り治具のみを躯体に設けたガイドレールに係合しているから、吊り治具が吊り下げている複数の外壁パネル同士が互いに風等により振れるおそれがある。
【０００５】
そこで、本発明は、一階部分に一階分の上下寸法を有する一枚の外壁パネルを取付ける場合はもとより、建物の一階部分や複数の階に亘って上下複数の外壁パネルを取付ける場合でも、一回で所定位置へ移動でき且つ移動時に外壁パネルの振れを防止できる外壁パネルの取付方法及び外壁パネルの移動方法の提供を目的とする。
【課題を解決するための手段】
【０００６】
請求項１に記載の発明は、建物の所定階数分の長さを有し且つ長手方向に間隔をあけて配置した複数のガイドローラを有する方立を躯体に取付け、略一階分以上の長さのガイドレールに外壁パネルユニットを取付け、ガイドレールをガイドローラに係合して外壁パネルユニットを上下方向の所定位置まで移動した後、外壁パネルユニットからガイドレールを取外し、外壁パネルユニットを方立に固定することを特徴とする。
尚、本明細書において、外壁パネルユニットは、１枚又は上下方向に設けた複数枚の外壁パネルから構成されるものである。
また、「所定階数分の長さ」とは、一つ分の階（一階）の長さ又は、二つ分の階（二階）や三つ分の階（三階）等の複数階に亘る長さをいう。
【０００７】
請求項２に記載の発明は、建物の所定階数分の長さを有する方立を躯体に取付け、方立に長手方向に間隔をあけて複数のガイドローラを取付け、略一階分以上の長さのガイドレールに外壁パネルユニットを取付け、ガイドレールをガイドローラに係合して外壁パネルユニットを上下方向の所定位置まで移動した後、外壁パネルユニットからガイドレールを取外し、外壁パネルユニットを方立に固定することを特徴とする。
【０００８】
請求項３に記載の発明は、請求項１又は２に記載の発明において、ガイドレールは屋内側に向けて開口してガイドローラに係合する係合溝を有し且つ屋内側から外壁パネルユニットに着脱自在に取付けてあり、ガイドローラは屋外側から方立に着脱自在に取付けてあることを特徴とする。
【０００９】
請求項４に記載の発明は、建物の所定階数分の長さを有し且つ長手方向に間隔をあけて配置した複数のガイドローラを有する方立を躯体に取付け、略一階分以上の長さのガイドレールに外壁パネルユニットを取付け、ガイドレールをガイドローラに係合して外壁パネルユニットを上下方向の所定位置まで移動することを特徴とする。
【００１０】
本発明は、建物の改装方法として用いることが好ましい。この建物の改装方法は、（１）建物の最上階の既存外壁パネルを躯体から外し、建物の屋上に設置したクレーンで屋上に搬送し、（２）既存外壁パネルを撤去した最上階の床スラブ間に、屋外側に突設するガイドローラを有する方立を左右に間隔をあけて取付け、（３）上下寸法が一階分の新外壁パネルユニットの左右に方立と略同一長さのガイドレールを取付け、新外壁パネルユニットをクレーンで吊り下げ、左右のガイドレールを方立のガイドローラに係合して最上階へ移動した後、新外壁パネルユニットを最上階の躯体に取付け、（４）新外壁パネルユニットを取付けた階の一つ下の階の既存外壁パネルの左右にガイドレールを取付け、既存外壁パネルを躯体から外すとともに、上の階の方立のガイドローラにガイドレールを係合して、既存外壁パネルを屋上に搬送し、（５）既存外壁パネルユニットを撤去した階の床スラブ間にガイドローラを有する方立を左右に間隔をあけて取付け、（６）上下寸法が一階分の新外壁パネルユニットの左右に方立と略同一長さのガイドレールを取付け、新外壁パネルユニットをクレーンで吊り下げ、左右のガイドレールを方立のガイドローラに係合して既存外壁パネルを撤去した階へ移動した後、新外壁パネルユニットを躯体に取付け、以下（４）〜（６）の工程を建物の上から下の階に向かって順次行うものである。
この建物の改装方法によれば、請求項１記載の発明と同様の効果を奏すると共に、既存外壁パネルを撤去するときに、その上の階に取付けた方立のガイドローラに既存外壁パネルに取付けたガイドレールを係合して吊り上げるから、既存外壁パネルの振れを防止できる。また、既存外壁パネルの取外しと新外壁パネルの取付けを最上階から下の階に順次行うので、最下階から上の階に順次行う場合に比較して、降雨時に建物内への雨の吹き込みを低減できるから、雨の吹き込み防止幕設置等の雨養生を少なくすることができる。
【発明の効果】
【００１１】
請求項１、２及び４に記載の発明によれば、外壁パネルユニットを取付けるガイドレールは、建物の略一階分以上の長さにしているから、一階部分に一階分の上下寸法を有する一枚の外壁パネルを取付ける場合はもとより、一階部分や複数階の部分に亘って上下複数の外壁パネルを取付ける場合でも、一度に取付けて、一回で所定位置まで移動することができる。
ガイドローラは所定階数分の長さを有する方立に長手方向の間隔をあけて複数配置してあり、ガイドレールは略一階分以上の長さを有しているので、ガイドレールをガイドローラに係合して複数階に亘って移動したときにガイドレールとガイドローラとの係合を常に保持することができ、外壁パネルユニットの振れを防止できる。
外壁パネルユニットを構成する外壁パネルが上下複数枚の場合でも各外壁パネルは同じガイドレールに固定されるから、移動時に上下の外壁パネルが互いに振れるのを防止できる。
請求項４に記載の発明によれば、外壁パネルを建物に取付ける場合の他、建物に取付けてある外壁パネルを取外す場合にも上述した効果を奏することができる。
更に、請求項１に記載の発明によれば、方立を躯体に取付ける前にガイドローラを予め方立に設けてあるので、ガイドローラを地上で方立に取付けることができ、高所での作業を少なくできる。
【００１２】
請求項３に記載の発明によれば、請求項１又は２に記載の効果を奏すると共に、ガイドレールは屋内側から外壁パネルユニットに取付けてあるから、建物内で作業している作業員がガイドレールの取外し作業をするときに建物側からの取外し作業が容易にできる。
ガイドローラは方立に着脱自在としているので、不要になった後（例えば、各階全ての外壁パネルユニットを方立に固定した後）に取外すことができる。
【図面の簡単な説明】
【００１３】
【図１】第１実施の形態に係る外壁パネルの取付方法を示す図であり、（ａ）は外壁パネルユニットを吊り下げて躯体の所定位置まで移動させている状態を示す正面図であり、（ｂ）は（ａ）に示すＣ−Ｃ断面図である。
【図２】ガイドレールユニットに外壁パネルユニットを取付けて吊り具で移動している状態を示す図であり、（ａ）は屋内側から見た正面図であり、（ｂ）は（ａ）に示すＢ―Ｂ断面図である。
【図３】図１に示すＫ部を抜き出して示す図であり、（ａ）は正面図、（ｂ）は（ａ）に示すＥ−Ｅ断面図であり、（ｃ）は（ａ）に示すＦ−Ｆ断面図である。
【図４】図１に示すＡ−Ａ断面図である。
【図５】ガイドローラの変形例を示す図であり、ガイドローラを方立に取付けた状態を示す断面図である。
【図６】第１実施の形態において、既存外壁パネルの取外し方法を示す図であり、（ａ）は既存外壁パネルユニットを吊り上げて移動させている状態を示す正面図であり、（ｂ）は（ａ）に示すＧ−Ｇ断面図である。
【図７】上枠吊り具の図であり、（ａ）は正面図であり、（ｂ）は側面図である。
【図８】下枠吊り具の図であり、（ａ）は正面図であり、（ｂ）は側面図である。
【図９】引込具の図であり、（ａ）は平面図であり、（ｂ）は正面図であり、（ｃ）は（ａ）のＨ―Ｈ断面図である。
【図１０】所定位置まで移動してきた外壁パネルユニットを方立間に固定するまでの工程を示す図であり、（ａ）及び（ｂ）は縦断面図である。
【図１１】外壁パネルユニットからガイドレールユニットを外すときの状態を示す図であり、（ａ）は正面図、（ｂ）は（ａ）のＩ―Ｉ断面図である。
【発明を実施するための形態】
【００１４】
以下に、添付図面を参照して本発明の実施の形態を説明する。先ず、第１実施の形態について説明する。
第１実施の形態に係る外壁パネルの取付方法は、複数の階層からなる建物の改装工事において、建物の一階からその階にある既存外壁パネル１Ａを取外した後（図６参照）に、その階に新しい外壁パネル（新設外壁パネル）１を取付けるものであり（図１参照）、最上階から順次下の階毎の既存外壁パネル１Ａの取外しと新しい外壁パネル１の取付けを行って建物を改装するものである。
図１に示すように、本実施の形態に係る外壁パネルの取付方法では、外壁パネルユニット６と、方立７と、ガイドローラ９と、ガイドレールユニット１２と、外壁パネルユニット６の吊り下げ治具１９と、上枠吊り具２１（図２参照）と、下枠吊り具２３（図２参照）と、中間吊り具２４と、引込み具２５（図１０参照）とを用いる。
外壁パネルユニット６は、建物の一階部分８（各階の床スラブ５、５間）に取付ける１枚又は複数枚の外壁パネル１で構成されており、本実施の形態では上下に設けられた３枚の外壁パネル１で構成されている。
方立７は、建物の略一階分の長さＬを有し、各階の床スラブ５、５間に固定する。
ガイドローラ９は、方立７の長手方向の２箇所に間隔をあけて配置し且つ屋外側から着脱自在に取付けてある。ガイドローラ９は、図３に示すように先端が球体であり、支持部１１の先端部１１ａに取付けてある。ガイドローラ９は図３（ａ）に示すように矢印Ｓ方向に回転自在に支持部１１に軸支してあり、支持部１１の基端部１１ｂにはネジが形成してあり、方立７に予め固定したナット１０に基端部１１ｂを屋外側から螺合して取付けてある。
支持部材１１は外壁パネル１の厚みより長い寸法であり、図３（ｂ）（ｃ）に示すように、外壁パネル１を方立７に取付けた後にも、ガイドローラ９が外壁パネル１よりも屋外側に突設するようにしてある。
図２（ａ）に示すように、ガイドレールユニット１２は、平行に設けた左右のガイドレール１３、１３と、左右のガイドレールの上端部を連結する連結部材１３ａを有し、ガイドレールと連結部材１３ａで略コ字形状を成しており、連結部材１３ａを吊りワイヤー２０で吊り下げている。
２本のガイドレール１３、１３は各々方立７と略同一の長さＬ（図１（ａ）参照）を有しており、略平行に配置した２本のガイドレール１３、１３間に外壁パネルユニット６が取付けられている。
各ガイドレール１３には、互いに対向する側に突設した取付部１５が複数設けてあり、各取付部１５に外壁パネルユニット６を室内側からボルト１８（図２（ｂ）参照）で固定している。
図２（ｂ）に示すように、ガイドレール１３には、ガイドローラ９が係合する係合溝１７が長手方向に形成してあり、係合溝１７の開口１７ａは屋内側に向けて開口している。
各ガイドレール１３の下端部１３ｂは、係合溝１７の溝巾を下側ほど広くなるように広げており、ガイドローラ９が下側から係合溝１７への係合を案内している。
吊り治具１９には、吊りワイヤー２０を係止するフックが設けてあり、屋上に設置されたクレーンで吊り下げて、下降又は上昇する。
図２（ａ）に示すように、上枠吊り具２１は、外壁パネルユニット６の最上の上枠に固定してあり、図７に示すように、左右中間部に引込みワイヤー２７ｂ（図２（ａ）参照）の上端部を係止する係止部２９が設けてある。また、図７に示すように、左右に吊りワイヤー２０の係止部２１ａが設けてあり、吊りワイヤー２０を係止可能にしてある。尚、図７において、符号２８は取手である。
図２（ａ）に示すように、下枠吊り具２３は、外壁パネルユニット６の最下の下枠に固定するものであり、図８に示すように下方に突設した係合部材３１と、引込みワイヤー２７ａの下端を係止する係止部３３が左右に設けてある。図２（ａ）に示すように、引込みワイヤー２７ａには、レバーブロック３５が設けてあり且つ引込みワイヤー２７ａをレバーブロック３５と共に途中から切り離し可能にしている。
中間吊り具２４は、上吊り具２１と下吊り具２３との間の各外壁パネル１の各上枠と下枠とに設けてあり、下枠吊り具２３と略同じ構成であるが係合部材３１を設けていない点が下枠吊り具２３と異なっている。中間吊り具２４、２４間はワイヤーで連結されている。
引込み具２５は、図９及び図１０に示すように、外壁パネルユニット６の下端を取付ける位置の方立７、７間に固定してある。引込み具２５には左右に各々受け部３７が設けてあり、クレーンに吊り下げて移動してきた外壁パネルユニット６の下端を受けるようになっている。この受け部３７は屋外側端が方立よりも屋外側に突設して設けてある。
この受け部３７には、屋内外方向の案内溝３９が形成してあり、案内溝３９に下枠吊り具２３の係合部材３１を係合して屋内側への移動を案内するものである。
【００１５】
次に、第１実施の形態に係る建物の改装方法について説明する。改装は最上階から順次下の階を行うので、最初に最上階の改装について説明する。
先ず、最上階の既存外壁パネルを取外す。最上階における既存外壁パネルの取外しは、図６に示すように、既存外壁パネル１Ａの一階分を外壁パネルユニット６Ａとして複数枚まとめてガイドレールユニット１２に取付け、吊り治具１９により上方に引き上げて屋上へ移動して屋上に降ろす。
そして、最上階の既存外壁パネル１Ａを全て取外した後に、ガイドローラ９を取付けてある方立７を最上階の床スラブ５、５間に固定する（図１参照）。
尚、ガイドローラ９は、支持部１１の基端部１１ｂを方立７に固定してあるナット１０に螺合することにより取付ける（図３（ｂ）参照）。また、ガイドローラ９は屋外側に向けて突設するように方立７に取付ける。
更に、方立７、７間には、所定の位置に引込み具２５を固定する（図１０（ａ）参照）。
次に、既存外壁パネル１Ａを取外した階に新しい外壁パネル１を取付ける。
先ず、一階分を構成する複数の新しい外壁パネル１の上下を互いに連結して外壁パネルユニット６を構成し、図２に示すように、外壁パネルユニット６の左右にガイドレール１３を取付ける。ガイドレール１３の取付けは、平行に配置した２つのガイドレール１３、１３で外壁パネルユニット６を挟むように配置し、各取付片１５にボルト１８で外壁パネルユニット６に屋内側から固定する（図２（ｂ）参照）。ガイドレール１３の係合溝１７の開口１７ａは屋内側（躯体側）に向けて配置する。
外壁パネルユニット６の屋内側面にはその上枠に上枠吊り具２１を固定し、下枠に下枠吊具２３を固定する共に、レバーブロック３５を装着した引込みワイヤー２７ａ、２７ｂを下枠吊り具２３と上枠吊り具２１との間に取付ける。
外壁パネルユニット６を取付けたガイドレールユニット１２に吊りワイヤー２０を係止し建物の屋上に設置したクレーンで吊り下げ、左右のガイドレール１３、１３をそれぞれ対向する方立７、７に設けたガイドローラ９に係合し、ガイドレール１３と共に外壁パネルユニット６を所定の位置まで下降する。
外壁パネルユニット６が所定位置まで下降すると、図１０（ａ）に示すように、下枠吊り具２３の係合部材３１が引込み具２５の受部３７に係合して、外壁パネルユニット６を引込み具２５に仮置する。図１１に示すように、仮置した状態で、下側の引込みワイヤー２７ａのレバーブロック３５を躯体３に固定すると共に、上側の引込みワイヤー２７ｂも躯体３に固定する。そして、外壁パネルユニット６に固定してあるガイドレール１３、１３のボルト１８（図２参照）を室内側から外し、吊り具１９の引き上げによりガイドレールユニット１２を引き上げて、ガイドレール１３、１３を外壁パネルユニット６の上方に引き抜く。
次に、図１０（ｂ）に示すように、レバーブロック３５の操作により、引込み具２５に仮置きしてある外壁パネルユニット６の下端を室内側に引き込む。外壁パネルユニット６の下端に設けた係合部材３１は受部３７の案内溝を移動するので、外壁パネルユニット６は方立７、７間の所定位置に移動させることができる。一方、外壁パネルユニット６の上端も上側引込みワイヤー２７ｂにレバーブロック３５を取付けて躯体に固定し、レバーブロック６の操作により方立７、７間の所定位置へ移動させて、外壁パネルユニット６を位置決めしたところで、外壁パネルユニット６を方立間に固定する。
最上階から２番目以降の階に新しい外壁パネル１を取付ける場合には、先ずその階の既存外壁パネル１Ａを取外す。既存外壁パネル１Ａの取外しは、既存外壁パネル１Ａの両側にガイドレールユニット１２のガイドレール１３、１３を取付けて屋上のクレーンにより引き上げるが、左右のガイドレール１３、１３は上の階に設置されている左右のガイドローラ９に係合して引き上げる。
その階の全ての既存外壁パネル１Ａが取外された後、最上階の場合と同様に、その階に方立７及び引込み具２５を固定する。
次に、屋上で新しい外壁パネルユニット６にガイドレールユニット１２、上枠吊り具２１、下枠吊り具２３、引込みワイヤー２７ａ、２７ｂを装着してクレーンで吊り下げ、左右のガイドレール１３、１３を最上階のガイドローラ９、９からその階のガイドローラ９、９に順次係合させながら所定位置まで下降し、所定位置まで下降したところで、最上階の場合と同様にして方立７、７間に外壁パネルユニット６を固定する。
このようにして、順次一階分の長さの外壁パネルユニット６を各階に全て取付けた後、  建物の室外側において、作業員が屋上から宙吊りされたゴンドラに乗って、外壁パネルユニット６の周囲や方立７との間にシール材を取付ける。
その後、外壁パネル１から屋外側に突設しているガイドローラ９（図３参照）の支持部１１を回して方立７から外し、ガイドローラ９を取り除き、取り除いた部分にシール材を取付ける。
【００１６】
第１実施の形態によれば、外壁パネルユニット６に取付けるガイドレール１３は、略一階分の長さにしているから、一階部分に一階分の上下寸法を有する一枚の外壁パネルを取付ける場合はもとより、一階部分に上下複数の外壁パネル１を取付ける場合でも、一階部分を構成する複数枚の外壁パネル１を、一回の吊り下げで所定位置まで移動することができる。
ガイドローラ９は略一階分の長さを有する方立７に長手方向の間隔をあけて複数配置してあり、ガイドレール１３は方立７と略同じ長さを有しているので、ガイドレール１３をガイドローラ９に係合して複数階に亘って移動したときにガイドレール１３とガイドローラ９との係合を常に保持することができ（図１参照）、外壁パネルユニット６の振れを防止できる。
外壁パネルユニット６を構成する上下複数の外壁パネル１は、同じガイドレール１３に取付けて移動するから、上下の外壁パネル１が互いに振れるのを防止できる。
ガイドレール１３は屋内側から止めるボルト１８で外壁パネルユニット６に取付けてあるから、屋内で作業している作業員がガイドレール１３の取外し作業をするときに、屋内側からの取外し作業が容易にできる。即ち、本実施の形態では、外壁パネル１の取付け作業時には、建物の室外側に足場を設けておらず、屋内で作業している作業員は、移動してきた外壁パネルユニット６を屋内側に引寄せて、外壁パネルユニット６からガイドレール１３を取外し、方立７に外壁パネル１を取付けることができる。
既存外壁パネル１Ａを撤去するときに、その上の階に取付けた方立７のガイドローラ９に既存外壁パネル１Ａに取付けたガイドレール１３、１３を係合して吊り上げるから、既存外壁パネル１Ａの振れを防止できる。
既存外壁パネル１Ａの取外しと外壁パネル（新外壁パネル）１の取付けを最上階から下の階に順次行うので、最下階から上の階に順次行う場合に比較して、降雨時に建物内への雨の吹き込みを低減できるから、雨の吹き込み防止幕設置等の雨養生を少なくすることができる。
新しい外壁パネルユニット６を取付ける階には、引込み具２５を取付けておき、所定位置まで吊りさげてきた外壁パネルユニット６を引込み具２５に仮置きするので、仮置きした状態で外壁パネルユニット６からガイドレールユニット１２を外すことができ、ガイドレール１３、１３の取外しが容易にできる。
外壁パネルユニット６から取外したガイドレールユニット１２は、そのまま吊りワイヤー２０により引き上げられると共にガイドレール１３にガイドローラ９が係合した状態で引き上げられるので、ガイドレールユニット１２の振れを防止できる。
ガイドレール１３、１３を外した外壁パネルユニット６は、引込み具２５に設けた受け部３７の案内溝３９に係合部材３１が係合して室内側へ移動するから、外壁パネルユニット６を方立間の所定位置に容易に位置決めできる。
ガイドローラ９を取付けた方立７を躯体３に固定しているから、ガイドローラ９の方立７への取付けが予め地上でできるので、高所での作業を少なくできる。
ガイドローラ９は方立７に屋外側から着脱自在としているので、外壁パネル１を方立７に各階全て取付けた後に、ゴンドラに乗った作業員が、上述のシール材の取付け作業時又はシール材の取付け作業とは別に屋外側から各所のガイドローラ９をまとめて取外すことができるので、ガイドローラ９の取外し作業が容易に効率よく行える。
また、外壁パネルユニット６の方立への取付けが終了した後でも、例えば外壁パネルユニット６が損傷していた場合には、すでにガイドローラ９を方立７から取外した場合でも、その外壁パネルユニット１の上階にある方立７に再度ガイドローラ９を取付け、その外壁パネルユニット６にガイドレール１３を取付けて移動することにより容易に交換できる。
更に、本実施の形態では、外壁パネルユニット６は、上下複数の外壁パネル１を互いに連結して一体にしているので、上下の外壁パネル１の連結を予め地上でできるから、高所での作業を少なくできる。
【００１７】
次に、本発明の他の実施の形態を説明するが、以下に説明する実施の形態において上述した第１実施の形態と同一部分には同一の符号を付することにより、その部分の詳細な説明を省略し、第１実施の形態と主に異なる点を説明する。
第２実施の形態では、方立７には予めガイドローラ９を取付けずに、方立７を一階の床スラブ５、５間に取付けた後に、ガイドローラ９を方立７に取付けている。その他の構成及び作業工程は上述した第１実施の形態と同じである。
【００１８】
この第２実施の形態によれば、ガイドローラ９を予め方立７に取付けておくことにより高所での作業を少なくできるという第１実施の形態の効果を除いて、第１実施の形態と同様の作用効果を奏することができる。
【００１９】
本発明は、上述した実施の形態に限らず、本発明の要旨を逸脱しない範囲で種々変形可能である。
ガイドローラ９は、球体にすることに限らず、図５に示すように、円柱形状として支持部材１１で回転自在に軸支するものであっても良い。
また、ガイドローラ９は方立７の長手方向に２箇所設けることに限らず、３箇所や４箇所に設けても良く、複数箇所であれば数は制限されない。
外壁パネルユニット６、上下の外壁パネル１を予め連結することに限らず、各外壁パネル１どうしは連結しないで、各々ガイドレール１３に取付けても良い。
左右のガイドレール１３は、上端を連結部材１３ａで連結してガイドレールユニット１２にすることに限らず、連結部材１３ａで連結していないでガイドレール１３、１３を外壁パネルユニット６の左右に取付けるものであっても良い。この場合には、吊りワイヤー２０を２本設け、各ガイドレール１３、１３に吊りワイヤー２０を係止して外壁パネルユニット６と共にガイドレール１３、１３を吊り下げて所定位置まで移動し、外壁パネルユニット６から外したガイドレール１３、１３はガイドローラ９に係合したまま上方に吊り上げる。
また、連結部材１３ａで連結していないでガイドレール１３、１３を外壁パネルユニット６の左右に取付ける場合には、上端部と下端部の２箇所にのみガイドローラ９を取付けた方立７を用い、外壁パネルユニット６に設けた上吊り具２０（図２（ａ）及び図７参照）に吊りワイヤー２０を係止して吊り下げて所定位置まで移動し、外壁パネルユニット６から外したガイドレール１３、１３は上下にずらしてガイドローラ９との係合を外して、取り除いても良い。
上述した実施の形態に係る外壁パネルユニット６を左右２列設けて一つの外壁パネルユニットとし、ガイドレール１３は左右と、左右の中央部との３箇所に取付けて各ガイドレール１３を各方立のガイドローラ９に係合して移動するものであっても良い。
外壁パネルユニット６は、上下寸法が略一階分の寸法を有する一枚の外壁パネルであっても良い。
外壁パネルユニット６に取付けたガイドレール１３を地上から吊り上げて上方に移動するものであっても良い。この場合、ガイドレールの上端部１７ｂは係合溝１７の溝巾を上側ほど広くなるように広げることが望ましい。
全階の既存外壁パネル１Ａを外した後にローラ付き方立７を全階に取付けて、上の階から順に下の階へ新規外壁パネルユニット６を取付けたり、下の階から順に上の階へ新規外壁パネルユニット６を取付けるものであっても良い。また、改装工事に限らず、ビルを新たに建築するときに、最上階から順に下の階にローラ付き方立７を取付けて各階毎に外壁パネルユニット６を取付けたり、全階にローラ付き方立７を取付けた後に、最上階から又は最下階から順に外壁パネルユニット６を取付けるものであっても良い。
方立７の長さを二階分の長さにして２つの階に亘って躯体３に固定し、ガイドレール１３の長さを二階分の長さにして、ガイドレール１３に二階分の外壁パネルユニット６を取り付けて所定位置（二つの階に亘る位置）に移動して、一度に二つの階に亘って新設外壁パネル１を取付けても良いし、二つの階に亘って既存外壁パネル１Ａを一度にガイドレール１３に取付けて躯体３から取外すものであっても良い。同様に、方立７の長さを三階分の長さにして三つの階に跨って躯体３に固定し、ガイドレール１３の長さを三階分の長さにして、ガイドレール１３に一度に三階分の外壁パネルユニット６を取り付けるものであっても良いし、三階部分の既存外壁パネル１Ａを一度に取外すものであっても良い。
また、方立７の長さを二階分の長さや３階分の長さにして躯体３に固定し、ガイドレール１３の長さは一階分の長さにしても良い。
【符号の説明】
【００２０】
１      新設外壁パネル
１Ａ    既存外壁パネル
３      躯体
６      外壁パネルユニット（新設外壁パネルユニット）
６Ａ    既存外壁パネルユニット
７      方立
９      ガイドローラ
１３    ガイドレール
【図１】
2010236293.tif 000003
【図２】
2010236293.tif 000004
【図３】
2010236293.tif 000005
【図４】
2010236293.tif 000006
【図５】
2010236293.tif 000007
【図６】
2010236293.tif 000008
【図７】
2010236293.tif 000009
【図８】
2010236293.tif 000010
【図９】
2010236293.tif 000011
【図１０】
2010236293.tif 000012
【図１１】
2010236293.tif 000013